(57)【要約】【課題】ペイ・パー・ビュー番組の視聴状況および、受信装置に対する操作によって、再放送の案内を表示する否か、どのように表示するかを変える。【解決手段】受信装置は、事前にコンテンツを購入した場合に放送された当該コンテンツを表示させる表示制御部と、購入した前記コンテンツが視聴された期間の長さに応じて、当該コンテンツの再放送の情報を表示するか否か制御する再放送情報制御部を、を備えることを特徴とする。【選択図】図２
2017184208.tif 000002
【特許請求の範囲】
【請求項１】
事前にコンテンツを購入した場合に放送された当該コンテンツを表示させる表示制御部と、
購入した前記コンテンツが視聴された期間の長さに応じて、当該コンテンツの再放送の情報を表示するか否か制御する再放送情報制御部を、
を備えることを特徴とする受信装置。
【請求項２】
再放送情報制御部は、前記コンテンツが先頭から視聴されたか否かに応じて、当該コンテンツの再放送の情報を表示するか否か制御することを特徴とする請求項１に記載の受信装置。
【請求項３】
前記再放送情報制御部は、前記コンテンツと当該コンテンツの再放送の累計視聴時間が一定の時間以上であるか否かに応じて、当該コンテンツの再放送の情報を表示するか否か制御することを特徴とする請求項１に記載の受信装置。
【請求項４】
再放送情報制御部は、前記コンテンツが最後まで視聴されたか否かに応じて、当該コンテンツの再放送の情報を表示するか否か制御することを特徴とする請求項２または請求項３に記載の受信装置。
【請求項５】
再放送情報制御部は、前記再放送の案内を表示する設定がなされているか否かに応じて、当該コンテンツの再放送の情報を表示するか否か制御することを特徴とする請求項４に記載の受信装置。
【請求項６】
再放送情報制御部は、視聴及び録画された期間の長さに応じて、当該コンテンツの再放送の情報を表示するか否か制御することを特徴とする請求項１から請求項５のいずれか一項に記載の受信装置。
【請求項７】
受信装置における制御方法おいて、
事前にコンテンツを購入した場合に放送された当該コンテンツを表示させる第１の過程と、
購入した前記コンテンツが視聴された期間の長さに応じて、当該コンテンツの再放送の情報を表示するか否か制御する第２の過程と、
を含む制御方法。
【請求項８】
コンピュータに、
事前にコンテンツを購入した場合に放送された当該コンテンツを表示させる第１のステップと、
購入した前記コンテンツが視聴された期間の長さに応じて、当該コンテンツの再放送の情報を表示するか否か制御する第２のステップと、
を実行させるためのプログラム。
【発明の詳細な説明】
【技術分野】
【０００１】
本発明は、受信装置、制御方法、及びプログラムに関する。
【背景技術】
【０００２】
ケーブルテレビや衛星放送、インターネットの動画配信サービスにおいて、番組や動画毎に視聴料金を課す課金方式としてＰＰＶ（ペイ・パー・ビュー）方式が知られている。ＰＰＶ方式では、番組や動画の一本一本に価格が設定され、利用者が視聴する度に課金がなされる。有料放送でしばしば用いられる定額制に比べ、ＰＰＶ方式は、利用者が自分の視聴したい番組や動画のみに料金を支払うという利点がある。
【０００３】
高度ＢＳデジタル放送では、ＣａＰＰＶ（Ｃａｌｌ  Ａｈｅａｄ  Ｐａｙ  Ｐｅｒ  Ｖｉｅｗ）の導入が検討されている。ＣａＰＰＶは、ＰＰＶ方式の有料放送番組（以下ＰＰＶ番組と呼ぶ）を事前に購入（課金）する方式である。ＣａＰＰＶでは、事前にＰＰＶ番組を購入するため、購入後に利用者が視聴しなかった場合であっても課金されてしまう。一方、これらのＰＰＶ番組の中には、利用者の利便性を高めるため、複数の再放送が予定されており、１回の課金でこれらの放送をすべて視聴できる権利をもつものも存在する。
このような番組に対しては、利用者は、購入時に１回分の視聴の予約をすることが一般的である。利用者がこの１回目の放送を視聴した場合は、以降の再放送に関して改めて視聴する必要性は低くなるが、１回目の放送を見逃してしまった場合は、以降の再放送での視聴を試みることになる。ただし、利用者が行ったのは１回目の放送の予約のみであるため、いつ再放送があるのかを改めて調べる必要がある。
【０００４】
一方、放送センター側が視聴履歴及び視聴記録を用いて視聴者が見逃してしまったと考えられるＰＰＶ番組を判断し、ＰＰＶ番組の再放送があることを知らせる放送サービスの案内システムが知られている（特許文献１参照）。
【先行技術文献】
【特許文献】
【０００５】
【特許文献１】特開平１１−８８２８０号公報
【発明の概要】
【発明が解決しようとする課題】
【０００６】
しかしながら、従来技術は、再放送の案内を表示するか否かを、視聴履歴及び視聴記録に基づき、視聴したか、あるいは、視聴していないかの二者択一でしか判断していなかった。そのため、従来技術は、ＰＰＶ番組の視聴状況、及び受信装置に対する操作に応じて、再放送の案内を表示するか否か、及び再放送の案内の形式を変えることを考慮していなかった。
【０００７】
本発明は上記の点に鑑みてなされたものであり、ＰＰＶ番組の視聴状況および、受信装置に対する操作によって、再放送の案内を表示する否か、どのように表示するかを変えることができる受信装置、制御方法、及びプログラムを提供する。
【課題を解決するための手段】
【０００８】
（１）本発明は上記の課題を解決するためになされたものであり、本発明の一態様は、事前にコンテンツを購入した場合に放送された当該コンテンツを表示させる表示制御部と、
購入した前記コンテンツが視聴された期間の長さに応じて、当該コンテンツの再放送の情報を表示するか否か制御する再放送情報制御部と、を備えることを特徴とする受信装置である。
【０００９】
（２）また、本発明の一態様は、上記の受信装置における制御方法において、事前にコンテンツを購入した場合に放送された当該コンテンツを表示させる第１の過程と、購入した前記コンテンツが視聴された期間の長さに応じて、当該コンテンツの再放送の情報を表示するか否か制御する第２の過程と、を含む制御方法。
【００１０】
（３）また、本発明の一態様は、コンピュータに、事前にコンテンツを購入した場合に放送された当該コンテンツを表示させる第１のステップと、購入した前記コンテンツが視聴された期間の長さに応じて、当該コンテンツの再放送の情報を表示するか否か制御する第２のステップと、を実行させるためのプログラム。
【発明の効果】
【００１１】
本発明によれば、ＰＰＶ番組の視聴状況および、受信装置に対する操作によって、再放送の案内を表示する否か、どのように表示するかを変えることができる。
【図面の簡単な説明】
【００１２】
【図１】本発明の第１の実施形態に係るデジタル放送システムの構成を示すブロック図である。
【図２】本実施形態に係る受信装置の構成を示すブロック図である。
【図３】本実施形態に係る拡張形式イベント記述子のデータ構造を示す図である。
【図４】本実施形態に係るシリーズ記述子のデータ構造を示す図である。
【図５】本実施形態に係る視聴状態の間の関係を示す図である。
【図６】本実施形態に係る視聴済みの視聴状態の一例を説明する図である。
【図７】本実施形態に係る第１の未視聴の視聴状態の一例を説明する図である。
【図８】本実施形態に係る再放送の予約を促す画面の一例を示す図である。
【図９】本実施形態に係る第２の未視聴の視聴状態の一例を説明する図である。
【図１０】本実施形態に係る受信装置の画面に表示されるチャンネルコールの一例を示す図である。
【図１１】本実施形態に係る再放送情報の画面の一例を示す図である。
【図１２】本実施形態に係る第３の未視聴の視聴状態の一例を説明する図である。
【図１３】本実施形態に係る第４の未視聴の視聴状態の一例を説明する図である。
【図１４】本実施形態に係るＰＰＶ番組購入履歴テーブルの一例を示す図である。
【図１５】本実施形態に係る視聴履歴テーブルの例を示す図である。
【図１６】本実施形態に係る番組視聴開始時のＰＰＶ制御部の処理の一例を示すフローチャートである。
【図１７】本実施形態に係る番組終了時のＰＰＶ制御部の処理の一例を示すフローチャートである。
【図１８】本発明の第２の実施形態に係る視聴済みの視聴状態の一例を説明する図である。
【図１９】本実施形態に係る視聴済みの視聴状態へ遷移する前の確認の画面の一例を示す図である。
【図２０】本発明の第３の実施形態に係るＰＰＶ制御部の処理の一例を示すフローチャートである。
【発明を実施するための形態】
【００１３】
（第１の実施形態）
以下、図面を参照しながら本発明の実施形態について詳しく説明する。
図１は、本実施形態に係るデジタル放送システムの構成を示すブロック図である。
デジタル放送システム１は、受信装置１０、放送装置２０、及び、放送衛星３０を含んで構成される。デジタル放送システム１において、受信装置１０と、放送装置２０との台数は、一般的にそれぞれ複数であるが、以下の説明においては、説明を容易にするため、受信装置１０と、放送装置２０との台数が、それぞれ１台であるデジタル放送システム１の場合について説明する。
【００１４】
また、以下の説明では、デジタル放送システム１におけるデジタル放送のメディアトランスポート方式として、例えばＡＲＩＢ（Ａｓｓｏｃｉａｔｉｏｎ  ｏｆ  Ｒａｄｉｏ  
Ｉｎｄｕｓｔｒｉｅｓ  ａｎｄ  Ｂｕｓｉｎｅｓｓｅｓ（一般社団法人  電波産業会））ＳＴＤ−Ｂ６０規格に記載のＭＭＴ（ＭＰＥＧ  Ｍｅｄｉａ  Ｔｒａｎｓｐｏｒｔ）方式が採用されている場合について説明する。
【００１５】
放送装置２０は、番組データｐ１を暗号化（スクランブル）し、多重化された放送波を送信する、例えば、放送局などの放送事業者に備えられた放送装置である。暗号化された番組データｐ１としては、ＰＰＶ放送を含む。なお、番組データｐ１が、暗号化（スクランブル）しない放送サービス（以下、「ノンスクランブル放送サービス」という）の（以下、映像コンテンツまたはコンテンツとも呼ぶ）である場合には、放送装置２０は、番組データｐ１を暗号化せずに多重化したノンスクランブル放送サービスの放送電波を送信する。ここで、コンテンツとは、データ放送番組ないしデータ放送番組と併用される双方向通信を通して配信される内容を構成するデータ群である。特に、放送で配信される場合は、そのデータ群を配信する番組内のストリームの集合を指す。一つのデータ放送番組は、複数のコンテンツから構成されうる。
ＰＰＶ放送は、番組毎にユーザが購入する形式の有料放送番組である。次世代の放送方式として規格化がＡＲＩＢで進められている高度ＢＳデジタル放送では、特にＣａＰＰＶの導入が検討されている。ＣａＰＰＶは、ＰＰＶ番組を事前に購入（課金）する方式である。ＰＰＶ番組を視聴する場合、有料放送の案内、支払い手続きは、データ放送サービスによって実現される。利用者は、視聴したい番組を、テレビ画面上で操作を行い購入する。
番組データｐ１に含まれる映像データと音声データとのそれぞれは、予め定めた符号化方式で符号化されたデータである。例えば、映像データは、Ｈ．２６５、いわゆる、ＨＥＶＣ（Ｈｉｇｈ  Ｅｆｆｉｃｉｅｎｃｙ  Ｖｉｄｅｏ  Ｃｏｄｉｎｇ）などの符号化方式で符号化されたデータである。また、例えば、音声データは、ＩＳＯ／ＩＥＣ  １４４９６  Ｐａｒｔ３、いわゆる、ＭＰＥＧ−４オーディオなどの符号化方式で符号化されたデータである。また、放送装置２０は、放送番組や放送に伴って提供されるサービスを構成するための情報である構成要素情報を送信する。
【００１６】
放送装置２０から送信された放送波は、地上波、ケーブルのような有線伝送路、又は放送衛星を介して受信装置１０に伝送される。図１に示す例では、放送波が放送衛星３０を介して伝送される場合を示している。
受信装置１０は、放送衛星３０を介して伝送される種々の情報を受信するデジタル放送受信装置である。以下の説明では、受信装置１０が、テレビジョン受像機（テレビ、ＴＶ）であるものとして説明する。つまり、受信装置１０は、放送装置２０から送信された放送電波を受信し、受信した放送電波に含まれる映像コンテンツである番組データｐ１を表示パネルに表示するテレビジョン受像機であるものとして説明する。
【００１７】
受信装置１０には、映像コンテンツを視聴するための契約を管理する限定受信システム（ＣＡＳ：Ｃｏｎｄｉｔｉｏｎａｌ  Ａｃｃｅｓｓ  Ｓｙｓｔｅｍ）が導入されている。このため、受信装置１０は、受信した番組データｐ１を表示パネルに表示する際に、ＣＡＳによって、番組データｐ１を表示するための事前の購入がされているか否か、つまり、ＰＰＶ番組の事前購入の有無を確認（判定）し、購入されている番組データｐ１のみを表示パネルに表示する。
【００１８】
図２は、本実施形態に係る受信装置１０の構成を示すブロック図である。
受信装置１０は、受信部１０１、復調部１０２、デスクランブル部１０３、デコード部１０４、出力制御部１０５、表示部１０６、スピーカー１０７、通信Ｉ／Ｆ１０８、メモリ１０９、システム制御部１１０、予約管理部１１１、ＰＰＶ制御部１１２、視聴状態判断部１１２１、外部Ｉ／Ｆ制御部１１３を備える。
【００１９】
受信部１０１は、放送装置２０が送信した放送波を、アンテナ（図示せず）により受信する。受信部１０１は、受信した受信信号をシステム制御部１１０から入力される選局チャンネル情報で指定されるチャンネルの周波数でベースバンド信号にダウンコンバートし、復調することにより、受信部１０１は、変換した多重化データを復調部１０２に出力する。
【００２０】
復調部１０２は、受信部１０１から暗号化されている多重化データを取得する。復調部１０２は、取得した多重化データを、放送装置２０の暗号化方式に対応する復号方式で復号する。これにより、復調部１０２は、復号された多重化データを生成する。ここで、放送装置２０の暗号化方式は、例えば、ＡＥＳ（Ａｄｖａｎｃｅｄ  Ｅｎｃｒｙｐｔｉｏｎ  Ｓｔａｎｄａｒｄ）やＭＵＬＴＩ２が考えられる。
復調部１０２は、生成した多重化データをデスクランブル部１０３に出力する。
【００２１】
デスクランブル部１０３は、復調部１０２から出力された番組データｐ１と構成データとのそれぞれを、データをデスクランブルするための鍵を用いて暗号化を解除する処理を行う。デスクランブル部１０３は、暗号化を解除した番組データｐ１から音声データと映像データとのそれぞれを抽出し、デコード部１０４へ出力する。なお、番組データｐ１に音声データまたは映像データのいずれか一方のデータのみが含まれる場合には、デスクランブル部１０３は、暗号化を解除したいずれか一方のデータを、デコード部１０４へ出力する。
また、デスクランブル部１０３は、暗号化を解除した構成データを、出力制御部１０５へ出力する。
【００２２】
デコード部１０４は、映像デコード部１０４１と音声デコード部１０４２を含んで構成される。デコード部１０４は、デスクランブル部１０３から映像データと音声データを取得する。デコード部１０４は、取得した映像データと音声データを各々復号し、出力制御部１０５へ出力する。
【００２３】
映像デコード部１０４１は、デスクランブル部１０３から映像データを取得する。映像デコード部１０４１は、取得した映像データを復号する。復号は、符号化に用いられた符号化方式と対応する復号方式によってなされる。それによって、映像デコード部１０４１は、元の映像データを生成する。復号した映像データは、各時刻における映像（フレーム画像）を形成する信号値を示すデータである。例えば、符号化に用いられる符号化方式とは、ＨＥＶＣ、ＭＰＥＧ−２ビデオである。映像デコード部１０４１は、復号した映像データを出力制御部１０５へ出力する。
【００２４】
音声デコード部１０４２は、デスクランブル部１０３から音声データを取得する。音声デコード部１０４２は、取得した音声データを復号する。復号は、符号化に用いられた符号化方式と対応する復号方式によってなされる。それによって、音声デコード部１０４２は、元の音声データを生成する。復号した音声データは、各時刻における音声のレベルを示すデータである。例えば、符号化に用いられる符号化方式とは、ＭＰＥＧ−４オーディオである。音声デコード部１０４２は、復号した音声データを出力制御部１０５へ出力する。
【００２５】
出力制御部１０５は、メモリ１０９から取得したＰＰＶ番組購入情報に基づいて、ＰＰＶ番組を視聴するための購入がされているか否かを判定する。出力制御部１０５は、当該ＰＰＶ番組が購入されていないと判定した場合、表示部１０６、及びスピーカー１０７への出力をミュートし、エラーメッセージやＰＰＶ番組購入情報の表示部１０６への表示を制御する。
【００２６】
出力制御部１０５は、デコード部１０４から、映像データと音声データを取得し、同期をとり、各々表示部１０６とスピーカー１０７へ出力する。
また、出力制御部１０５は、システム制御部１１０から放送選択画面等を示す通知画像データやデータ放送サービスの画面等を取得する。例えば、出力制御部１０５は、映像データに基づく映像上に、通知画像データに基づく放送選択画面やデータ放送サービスの画面等の映像を重ねた映像を生成する。
【００２７】
また、出力制御部１０５は、ＰＰＶ制御部１１２から、再放送の案内の画面についての情報である再放送通知画面情報を取得する。出力制御部１０５は、映像データに基づく映像上に、取得した再放送通知画面情報で示される再放送の案内の画面の映像を重ねた映像を生成する。また、出力制御部１０５は、チャンネルコールや放送選択画面やデータ放送サービスの画面等に、再放送のお知らせ情報を追加する。
また、出力制御部１０５は、ＰＰＶ制御部１１２から、エラーメッセージやＰＰＶ番組購入情報を取得する。出力制御部１０５は、映像データに基づく映像上に、取得したエラーメッセージやＰＰＶ番組購入情報に基づく画面の映像を重ねた映像を生成する。
【００２８】
出力制御部１０５は、生成した映像に基づく映像データを表示部１０６へ出力する。すなわち、出力制御部１０５は、事前にコンテンツを購入した場合に放送された当該コンテンツを表示させる。
【００２９】
表示部１０６は、出力制御部１０５から取得した映像データに基づく映像を表示する。
例えば、表示部１０６は、液晶ディスプレイ、有機ＥＬ（Ｅｌｅｃｔｒｏｌｕｍｉｎｅｓｃｅｎｃｅ）ディスプレイ、等を含んで構成される。
スピーカー１０７は、出力制御部１０５から取得した音声データに基づく音声を出力する。
また、表示部１０６は、ＰＰＶ番組の予約の設定に用いられる。予約設定の操作において、利用者は、例えば、表示部１０６にＥＰＧ（Ｅｌｅｃｔｒｏｎｉｃ  Ｐｒｏｇｒａｍ  Ｇｕｉｄｅ）画面を表示させる。続いて、利用者は、ＥＰＧ画面上でＰＰＶ番組を選択することで予約設定を行う。
【００３０】
表示部１０６は、ユーザが表示部１０６に表示されたＥＰＧ画面上でＣａＰＰＶの番組予約をした場合、通信Ｉ／Ｆ１０８から取得した情報をもとに購入画面を表示する。ＰＰＶ制御部は、ユーザが番組を購入した場合、通信Ｉ／Ｆ１０８を通して視聴ライセンスを取得し、ＣＡＳに保存する。ＰＰＶ制御部は、購入した番組の情報を、ＰＰＶ番組購入情報としてメモリ１０９に保存する。ＰＰＶ番組購入情報については、図１４を用いて後述する。
通信Ｉ／Ｆ１０８は、公衆回線１０００に接続されている。
【００３１】
メモリ１０９は、各種のデータやプログラムを記憶する記憶媒体である。例えばメモリ１０９には、自らの受信装置１０が受信可能な放送に関する情報を示すデータ等を記憶する。受信可能な放送とは、例えば、地上デジタル放送、衛星デジタル放送（ＢＳ、ＣＳ）、及び高解像度放送（４Ｋ放送、８Ｋ放送）等である。
【００３２】
システム制御部１１０は、ＣＰＵ等を含んで構成されるコンピュータを含む。システム制御部１１０は、記憶部に格納されたソフトウェア（プログラム）を実行する。それによって、システム制御部１１０は、受信装置１０の種々の動作を制御する。また、システム制御部１１０は、制御情報により参照されるデータ放送サービスを起動するデータ放送サービス起動部として機能する。
システム制御部１１０は、外部Ｉ／Ｆ制御部１１３から選局要求を受け取る。また、システム制御部１１０は、予約管理部１１１から、選局要求を受け取る。システム制御部１１０は、受け取った要求に対して受信部１０１へ選局要求を出力する。
システム制御部１１０は、出力制御部１０５に、放送選択画面等を示す通知画像データやデータ放送サービスの画面等を出力する。
【００３３】
予約管理部１１１は、番組の予約に関する管理を行う。予約管理部１１１は、表示部１０６に表示されたＥＰＧの操作の結果、番組の予約についての情報を示す番組予約情報を取得する。番組予約情報は、予約された番組の放送時刻及び放送局のチャンネルを示す情報を含む。予約された番組である予約番組は、ＰＰＶ番組であっても、ＰＰＶ番組以外の番組であってもよい。
予約管理部１１１は、ＥＰＧなどから予約が解除された場合、対象となる予約番組の番組予約情報を削除する。
予約管理部１１１は、番組予約情報に基づき、予約番組の放送時刻が到来したか否か判定する。予約番組の放送時刻が到来した場合、予約管理部１１１は、選局要求をシステム制御部１１０へ出力する。
【００３４】
ＰＰＶ制御部１１２は、視聴状態判断部１１２１を備える。
ＰＰＶ制御部１１２は、視聴状態判断部１１２１により生成される視聴状態情報に基づき、当該ＰＰＶ番組の再放送の情報を表示するか否かを制御する。ＰＶ番組の再放送の情報を表示するか否かについての処理の詳細ついては後述する。
【００３５】
ＰＰＶ制御部１１２は、当該ＰＰＶ番組の再放送に関する情報を取得する。ＰＰＶ制御部１１２は、取得した当該ＰＰＶ番組の再放送に関する情報を、再放送情報としてメモリ１０９に記憶する。ＰＰＶ番組の再放送の有無を示す情報は、例えば、サービス事業者側がＥＩＴ（Ｅｖｅｎｔ  Ｉｎｆｏｒｍａｔｉｏｎ  Ｔａｂｌｅ）の拡張形式イベント記述子やシリーズ記述子に記載した情報をもとに判別する。これについては、図３、図４を用いて後述する。
【００３６】
ＰＰＶ制御部１１２は、メモリ１０９に記憶される再放送情報に基づき、当該ＰＰＶ番組の再放送通知画面情報を生成する。ＰＰＶ制御部１１２は、再放送通知画面情報を出力制御部１０５へ出力する。
【００３７】
視聴状態判断部１１２１は、ＰＰＶ番組の視聴状態についての情報を示す視聴状態情報を生成する。
【００３８】
視聴状態判断部１１２１は、システム制御部から選局チャンネル情報を取得する。視聴状態判断部１１２１は、選局チャンネル情報と、選局チャンネル情報を取得した時刻に基づき、視聴履歴情報を生成する。視聴状態判断部１１２１は、生成した視聴履歴情報をメモリ１０９の視聴履歴テーブルに記憶する。視聴履歴テーブルについては、図１５を用いて後述する。
【００３９】
視聴状態判断部１１２１は、視聴履歴情報に基づき、ＰＰＶ番組の視聴状態を判断する。視聴状態は、視聴済、先頭から視聴開始、未視聴の状態からなる。さらに、未視聴の状態は、４つの状態に分類される（未視聴状態１〜４）。視聴状態判断部１１２１は、判断結果に基づき、視聴状態情報を生成する。視聴状態情報は、「視聴済」、「先頭から視聴開始」、「未視聴１」、「未視聴２」、「未視聴３」、「未視聴４」のいずれかの値をとる。視聴状態の詳細については以降で説明する。
【００４０】
メモリ１０９は、ＰＰＶ番組購入情報を、ＰＰＶ番組購入テーブルに記憶する。メモリ１０９は、視聴履歴情報を、視聴履歴テーブルに記憶する。メモリ１０９は、再放送情報を、再放送情報テーブルに記憶する。
【００４１】
外部Ｉ／Ｆ制御部１１３は、受信装置１０の利用者による操作入力を受け付ける。この一例においては、外部Ｉ／Ｆ制御部１１３は、リモートコントローラ（図示せず）から操作信号を受信する入力インターフェースである。ただし、外部Ｉ／Ｆ制御部１１３は、例えば、受信装置１０が備える操作ボタン、又は携帯型情報端末（例えば、スマートフォン）、等から操作信号を受信する入力インターフェースであってもよい。
【００４２】
ここでは、本実施形態において、ＰＰＶ制御部１１２がＰＰＶ番組の再放送の有無の判定に用いる情報の一例について、図３、図４を用いて説明する。
図３は、本実施形態に係る拡張形式イベント記述子のデータ構造を示す図である。
本実施形態では、ＰＰＶ制御部１１２は、ＰＰＶ番組の再放送の有無の判定に、ＥＩＴに含まれる拡張形式イベント記述子を用いる。
拡張形式イベント記述子は、イベントの詳細記述を提供する。図示するように、拡張形式イベント記述子は、記述子タグ（ｄｅｓｃｒｉｐｔｏｒ＿ｔａｇ）、記述子長（ｄｅｓｃｒｉｐｔｏｒ＿ｌｅｎｇｔｈ）、項目長（ｌｅｎｇｔｈ＿ｏｆ＿ｉｔｅｍｓ）、項目名長（ｉｔｅｍ＿ｄｅｓｃｒｉｐｔｉｏｎ＿ｌｅｎｇｔｈ）、項目名（ｉｔｅｍ＿ｄｅｓｃｒｉｐｔｉｏｎ＿ｃｈａｒ）、項目記述長（ｉｔｅｍ＿ｌｅｎｇｔｈ）、項目記述（ｉｔｅｍ＿ｃｈａｒ）、拡張記述長（ｔｅｘｔ＿ｌｅｎｇｔｈ）、拡張記述（ｔｅｘｔ＿ｃｈａｒ）を含んでいる。文字情報は項目名フィールドと項目記述フィールドの２つのフィールドから構成される。
【００４３】
ＰＰＶ制御部１１２は、ＰＰＶ番組の再放送の有無の判定に、例えば、項目名フィールドと項目記述フィールドに記載される情報を用いる。
【００４４】
図４は、本実施形態に係るシリーズ記述子のデータ構造を示す図である。
本実施形態では、ＰＰＶ制御部１１２は、ＰＰＶ番組の再放送の有無の判定に、ＥＩＴに含まれるシリーズ記述子を用いる。シリーズ記述子は、ＥＩＴに含まれる。シリーズ記述子は、シリーズ番組を識別するために用いられる。図示するように、シリーズ記述子は、記述子タグ（ｄｅｓｃｒｉｐｔｏｒ＿ｔａｇ）、記述子長（ｄｅｓｃｒｉｐｔｏｒ＿ｌｅｎｇｔｈ）、シリーズ識別（ｓｅｒｉｅｓ＿ｉｄ）、再放送ラベル（ｒｅｐｅａｔ＿ｌａｂｅｌ）、編成パターン（ｐｒｏｇｒａｍ＿ｐａｔｔｅｒｎ）、有効期限フラグ、（ｅｘｐｉｒｅ＿ｄａｔｅ＿ｖａｌｉｄ＿ｆｌａｇ）、有効期限（ｅｘｐｉｒｅ＿ｄａｔｅ）、話数（ｅｐｉｓｏｄｅ＿ｎｕｍｂｅｒ）、番組総数（ｌａｓｔ＿ｅｐｉｓｏｄｅ＿ｎｕｍｂｅｒ）、シリーズ名（ｓｅｒｉｅｓ＿ｎａｍｅ＿ｃｈａｒ）を含んでいる。
【００４５】
再放送ラベルは、シリーズの放送期間とシリーズの再放送の放送期間が重なる場合に、編成を区別するラベルとして用いられる。ＰＰＶ制御部１１２は、ＰＰＶ番組の再放送の有無の判定に、例えば、再放送ラベルを用いる。
【００４６】
図５は、本実施形態に係る視聴状態の間の関係を示す図である。
本実施形態では、視聴状態判断部１１２１は、利用者のＰＰＶ番組の視聴状態を、「視聴済」、「先頭から視聴開始」、「未視聴」の３つの状態のいずれであるか判断する。
視聴状態は、最初、「未視聴」の状態である。「未視聴」の視聴状態は、ＰＰＶ番組の放送開始時刻が到来した時点でＰＰＶ番組が視聴された場合、「先頭から視聴開始」へと遷移する。また、「未視聴」の視聴状態は、表示部１０６に再放送案内が表示され利用者が今後通知をしないことを選択した場合、「視聴済」へと遷移する。
「先頭から視聴開始」の視聴状態は、連続して一定の時間が経過する前に利用者がＰＰＶ番組の視聴をやめた場合、「未視聴」へと遷移する。ここで、一定の時間とは、当該ＰＰＶ番組の全放送時間の、例えば５０パーセントに相当する時間である。一方、「先頭から視聴開始」の視聴状態は、連続して一定の時間が経過する前に利用者がＰＰＶ番組の視聴をやめなかった場合、「視聴済」へと遷移する。
【００４７】
図６は、本実施形態に係る視聴済みの視聴状態の一例を説明する図である。
図６において、横軸の矢印は時間を表している（以降で説明する図７、図９、図１２、図１３についても同様である）。また、受信装置１０の電源はオンになっている。利用者は、あるＰＰＶ番組について視聴の予約設定を行う。ＣａＰＰＶは先払いの課金方式であるため、利用者は、予約設定を行った時点で、当該ＰＰＶ番組の購入を求められる。利用者は、ＥＰＧ画面上で購入の操作を行う。ＰＰＶ番組の購入操作が完了した時点、予約設定が完了する。
【００４８】
当該ＰＰＶ番組の放送開始時刻において、予約選局により、当該ＰＰＶ番組の視聴が開始される。視聴状態判断部１１２１は、視聴状態を「未視聴」から、「先頭から視聴開始」へ遷移させる。
図６に示す例では、当該ＰＰＶ番組の先頭からの連続視聴時間が一定の時間（例えば、当該ＰＰＶ番組の全放送時間の５０パーセント）を超える。この場合、視聴状態判断部１１２１は、視聴状態を「先頭から視聴開始」から「視聴済」へ遷移させる。
ＰＰＶ制御部１１２は、視聴状態情報に基づいて、当該ＰＰＶ番組が先頭から視聴されたと判断する。この場合、ＰＰＶ制御部１１２は、当該ＰＰＶ番組の再放送情報の表示を行わない。すなわち、再放送情報制御部は、前記コンテンツが先頭から視聴されたか否かに応じて、当該コンテンツの再放送の情報を表示するか否か制御する。
【００４９】
図７は、本実施形態に係る第１の未視聴の視聴状態の一例を説明する図である。
図７に示す例は、ＰＰＶ番組の購入が完了するまでは、図６で示した例と同様である。図７に示す例では、当該ＰＰＶ番組の放送開始時刻が到来する前に、当該ＰＰＶ番組の視聴予約が解除される。この場合、放送開始時刻が到来した時点で、当該ＰＰＶ番組のチャンネル以外のチャンネルが選局されていることになる。その後、当該ＰＰＶ番組の視聴が途中から開始される。当該ＰＰＶ番組の終了時点で、当該ＰＰＶ番組は視聴されている。視聴状態は、「未視聴」のままになっている。
この場合、ＰＰＶ制御部１１２は、視聴状態情報に基づいて、当該ＰＰＶ番組が途中から視聴され終了時に視聴されていた（未視聴状態１）と判断する。そして、ＰＰＶ制御部１１２は、当該ＰＰＶ番組の終了時に、当該ＰＰＶ番組の再放送の予約を促す画面（再放送通知画面とも呼ぶ）を表示させる。すなわち、再放送情報制御部は、前記コンテンツが先頭から視聴されたか否かに応じて、当該コンテンツの再放送の情報を表示するか否か制御する。さらに、再放送情報制御部は、前記コンテンツが最後まで視聴されたか否かに応じて、当該コンテンツの再放送の情報を表示するか否か制御する。
【００５０】
図８は、本実施形態に係る再放送の予約を促す画面の一例を示す図である。
再放送通知画面ｉ２は、再放送の日時の提示と、予約画面へ遷移するボタン（図８において、「する」と表示）、及び予約を行わないボタン（図８において「しない」と表示）を表示する。また、再放送通知画面ｉ２は、以降の再放送の通知をキャンセルするボタン（図８において「この番組の再放送をお知らせしない」と表示）も提示する。
【００５１】
再放送の通知をキャンセルするボタンが選択された場合、視聴状態判断部１１２１は、視聴状態を「未視聴」から、「視聴済」へと遷移させる。
ＰＰＶ制御部１１２は、視聴状態が「視聴済」である場合、以降当該ＰＰＶ番組の再放送案内を表示しない。すなわち、再放送情報制御部は、前記再放送の案内を表示する設定がなされているか否かに応じて、当該コンテンツの再放送の情報を表示するか否か制御する。
【００５２】
図９は、本実施形態に係る第２の未視聴の視聴状態の一例を説明する図である。
図９に示す例では、ＰＰＶ番組の視聴が開始されるまでは、図６で示した例と同様である。この例では、当該ＰＰＶ番組の開始からの連続視聴時間が一定の時間（例えば、当該ＰＰＶ番組の全放送時間の５０パーセント）経過する前に、当該ＰＰＶ番組以外のチャンネルに選局が行われる。この場合、視聴状態判断部１１２１は、視聴状態を「先頭から視聴開始」から「未視聴」へ遷移させる。
ＰＰＶ制御部１１２は、視聴状態情報に基づいて、当該ＰＰＶ番組が最初から視聴されたがすぐに視聴されなくなった（未視聴状態２）と判断する。この場合、ＰＰＶ制御部１１２は、当該ＰＰＶ番組の終了時に、再放送のお知らせを、例えば、チャンネルコールに追加する。すなわち、再放送情報制御部は、前記コンテンツが先頭から視聴されたか否かに応じて、当該コンテンツの再放送の情報を表示するか否か制御する。さらに、再放送情報制御部は、前記コンテンツが最後まで視聴されたか否かに応じて、当該コンテンツの再放送の情報を表示するか否か制御する。
なお、ＰＰＶ制御部１１２が再放送のお知らせを追加する対象は、チャンネルコール以外に、放送選択画面等を含めてもよい。
【００５３】
図１０は、本実施形態に係る受信装置の画面に表示されるチャンネルコールの一例を示す図である。
図１０では、受信装置１０の表示パネルＤ１に、チャンネルコールＣ１が表示されている。未視聴状態２（及び以降で説明する未視聴状態３、未視聴状態４）の場合、ＰＰＶ制御部１１２は、再放送のお知らせをチャンネルコールＣ１に追加する。チャンネルコールＣ１には、本来の番組情報に、お知らせ表示が追加されて表示される。利用者は、別途メニューを確認することで再放送のお知らせ（図１１）を見ることができる。
【００５４】
図１１は、本実施形態に係る再放送のお知らせの画面の一例を示す図である。
再放送のお知らせの再放送通知画面ｉ２は、購入したＰＰＶ番組が視聴されなかったこと、及び当該ＰＰＶ番組の再放送の情報を表示している。
【００５５】
図１２は、本実施形態に係る第３の未視聴の視聴状態の一例を説明する図である。
図１２に示す例は、ＰＰＶ番組の予約が解除され、途中から視聴が始まるまでは、図７で示した例と同様である。この例では、当該ＰＰＶ番組が終了するまでに、別のチャンネルが選局される。視聴状態は、「未視聴」のままになっている。
ＰＰＶ制御部１１２は、視聴状態情報に基づいて、当該ＰＰＶ番組が、放送開始時、及び番組終了時に視聴されなかった（未視聴状態３）と判断する。この場合、ＰＰＶ制御部１１２は、当該ＰＰＶ番組の終了時に、再放送のお知らせを、例えば、チャンネルコールに追加する。受信装置１０の電源はオンになっていたが、当該ＰＰＶ番組の放送中に一度も当該ＰＰＶ番組のチャンネルに選局されなかった場合であっても、ＰＰＶ制御部１１２は、同様の判断をする。
このように、再放送情報制御部は、前記コンテンツが先頭から視聴されたか否かに応じて、当該コンテンツの再放送の情報を表示するか否か制御する。さらに、再放送情報制御部は、前記コンテンツが最後まで視聴されたか否かに応じて、当該コンテンツの再放送の情報を表示するか否か制御する。
【００５６】
図１３は、本実施形態に係る第４の未視聴の視聴状態の一例を説明する図である。
図１３に示す例は、ＰＰＶ番組の購入が完了するまでは、図６で示した例と同様である。図１３に示す例では、当該ＰＰＶ番組の放送開始時刻が到来する前に、受信装置１０の電源がオフになる。次に受信装置１０の電源がオンになったとき、当該ＰＰＶ番組の終了時刻が過ぎている。視聴状態は、「未視聴」のままになっている。
ＰＰＶ制御部１１２は、視聴状態情報に基づいて、受信装置１０の電源がオンになった時点で当該ＰＰＶ番組の番組開始時刻が過ぎている（未視聴状態４）と判断する。この場合、ＰＰＶ制御部１１２は、当該ＰＰＶ番組の終了時に、再放送のお知らせを、例えば、チャンネルコールに追加する。すなわち、再放送情報制御部は、前記コンテンツが先頭から視聴されたか否かに応じて、当該コンテンツの再放送の情報を表示するか否か制御する。さらに、再放送情報制御部は、前記コンテンツが最後まで視聴されたか否かに応じて、当該コンテンツの再放送の情報を表示するか否か制御する。
【００５７】
なお、受信装置１０が録画機能を備えている場合、購入済みのＰＰＶ番組の視聴がされなかったとしても、当該番組の録画はされている状況が考えられる。その場合、上述の「視聴済」の視聴状態の条件に、録画した期間の長さを加えてもよい。
具体的には、当該ＰＰＶ番組が先頭から視聴された場合、視聴状態判断部１１２１は、視聴状態を「未視聴」から「先頭から視聴開始」へ遷移させる。当該ＰＰＶ番組の先頭からの連続視聴時間が一定の時間を超えず、少なくとも視聴をやめた時点で録画が開始されている場合を考える。連続視聴時間と、視聴をやめた時点からの連続録画時間の合計時間が、一定の時間を超えた場合、視聴状態判断部１１２１は、視聴状態を「先頭から視聴開始」から「視聴済」へ遷移させる。ＰＰＶ番組の録画は、当該ＰＰＶ番組の開始時からなされていてもよい。また、ここで一定の時間とは、例えば、当該ＰＰＶ番組の全放送時間の５０パーセントである。
ＰＰＶ制御部１１２は、視聴状態情報に基づいて、当該ＰＰＶ番組が先頭から視聴されたと判断する。この場合、ＰＰＶ制御部１１２は、当該ＰＰＶ番組の再放送情報の表示を行わない。すなわち、ＰＰＶ制御部１１２は、視聴及び録画された期間の長さに応じて、当該コンテンツの再放送の情報を表示するか否か制御する。
【００５８】
図１４は、本実施形態に係るＰＰＶ番組購入履歴テーブルの一例を示す図である。
図示するように、ＰＰＶ番組購入履歴テーブルは、番組名、チャンネル、放送日時、再放送日時、及び料金（課金情報）の各項目の列を有している。ＰＰＶ番組購入履歴テーブルは、番組名毎にＰＰＶ番組購入履歴情報が格納される行と列からなる２次元の表形式のデータである。
【００５９】
例えば、図１４の１行目のＰＰＶ番組購入履歴情報は、番組名が「ＡＡＡＡＡＡＡＡＡ」、チャンネルが「ＣＳ  ＸＸＸ」、放送日時が２０１６年１月１５日金曜日の１５時から１６時、再放送日時が２０１６年１月１９日火曜日の２１時から２２時、課金される料金が２００円であることを示している。
【００６０】
図１５は、本実施形態に係る視聴履歴テーブルの例を示す図である。
図示するように、視聴履歴テーブルは、視聴時間、及び視聴チャンネルの各項目の列を有している。視聴履歴テーブルは、視聴時間毎に視聴履歴情報が格納される行と列からなる２次元の表形式のデータである。
【００６１】
例えば、図１５の１行目の視聴履歴情報は、視聴時間が２０１６年１月１５日金曜日の１５時０分から１５時４５分の間に、視聴チャンネル「ＣＳ  ＸＸＸ」が選局されていたことを示している。
【００６２】
ここで、視聴履歴が図１５で示されるものである場合に、図１４で示した、各々のＰＰＶ番組の視聴状態について説明する。
【００６３】
図１４の番組名「ＡＡＡＡＡＡＡＡＡ」のＰＰＶ番組は、チャンネル「ＣＳ  ＸＸＸ」で２０１６年１月１５日金曜日の１５時０分から開始され、１６時０分に終了する１時間の番組である。図１５の１行目の視聴履歴を参照すると、２０１６年１月１５日金曜日の１５時０分から１５時４５分までチャンネル「ＣＳ  ＸＸＸ」が選局されている。従って、当該ＰＰＶ番組は、先頭からの連続視聴時間が３０分を超えて視聴されたことになる。ここで、３０分は、当該ＰＰＶ番組の全放送時間の５０パーセントに相当する時間である。図６で説明したように、この場合、視聴状態は視聴済と判断される。
【００６４】
図１４の番組名「ＢＢＢＢＢＢＢＢＢ」のＰＰＶ番組は、チャンネル「ＣＳ  ＹＹＹ」で２０１６年１月１５日金曜日の１５時０分から開始され、１６時０分に終了する１時間の番組である。図１５の２行目の視聴履歴を参照すると、２０１６年１月１５日金曜日の１５時４５分から１６時０８分までチャンネル「ＣＳ  ＹＹＹ」が選局されている。従って、当該ＰＰＶ番組は、途中から視聴され終了時に視聴されていたことになる。図７で説明したように、この場合、視聴状態は未視聴状態１であると判断される。
【００６５】
図１４の番組名「ＣＣＣＣＣＣＣＣＣ」のＰＰＶ番組は、チャンネル「ＣＳ  ＺＺＺ」で２０１６年１月１５日金曜日の１５時０分から開始され、１６時０分に終了する１時間の番組である。図１５の１行目及び２行目の視聴履歴を参照すると、２０１６年１月１５日金曜日の１５時０分から１６時０分までの間にチャンネル「ＣＳ  ＺＺＺ」は一度も選局されていない。従って、当該ＰＰＶ番組は、放送開始時、及び番組終了時に視聴されなかったことになる。図１２で説明したように、この場合、視聴状態は未視聴状態３であると判断される。
【００６６】
図１４の番組名「ＤＤＤＤＤＤＤＤＤ」のＰＰＶ番組は、チャンネル「ＣＳ  ＸＸＸ」で２０１６年１月１６日土曜日の１７時０分から開始され、１８時０分に終了する１時間の番組である。図１５の３行目の視聴履歴を参照すると、２０１６年１月１６日土曜日の１６時５８分から１７時１２分までチャンネル「ＣＳ  ＸＸＸ」が選局されている。従って、当該ＰＰＶ番組は、最初から視聴されたがすぐに視聴されなくなったことになる。図９で説明したように、この場合、視聴状態は未視聴状態２であると判断される。
【００６７】
図１４の番組名「ＥＥＥＥＥＥＥＥＥ」のＰＰＶ番組は、チャンネル「ＣＳ  ＹＹＹ」で２０１６年１月１６日土曜日の１７時０分から開始され、１８時０分に終了する１時間の番組である。図１５の４行目の視聴履歴を参照すると、２０１６年１月１６日土曜日の１７時１２分から１７時３７分までチャンネル「ＣＳ  ＹＹＹ」が選局されている。従って、当該ＰＰＶ番組は、放送開始時、及び番組終了時に視聴されなかったことになる。図１２で説明したように、この場合、視聴状態は未視聴状態３であると判断される。
【００６８】
図１４の番組名「ＦＦＦＦＦＦＦＦＦ」のＰＰＶ番組は、チャンネル「ＣＳ  ＺＺＺ」で２０１６年１月１６日土曜日の１７時０分から開始され、１８時０分に終了する１時間の番組である。図１５の５行目の視聴履歴を参照すると、２０１６年１月１６日土曜日の１７時３７分から１８時００分までチャンネル「ＣＳ  ＺＺＺ」が選局されている。従って、当該ＰＰＶ番組は、途中から視聴され終了時に視聴されていたことになる。図７で説明したように、この場合、視聴状態は未視聴状態１であると判断される。ただし、番組名「ＦＦＦＦＦＦＦＦＦ」のＰＰＶ番組は、再放送の予定がないため、再放送通知画面は表示されない。
【００６９】
図１４の番組名「ＧＧＧＧＧＧＧＧＧ」のＰＰＶ番組は、チャンネル「ＣＳ  ＺＺＺ」で２０１６年１月１６日土曜日の１９時０分から開始され、２０時０分に終了する１時間の番組である。図１５の視聴履歴を参照すると、２０１６年１月１６日土曜日の１９時０分から２０時０分までの間の視聴履歴はない。つまり、この間、受信装置１０の電源はオフであったことになる。従って、当該ＰＰＶ番組は、受信装置１０の電源がオンになった時点で当該ＰＰＶ番組の番組開始時刻が過ぎていたことになる。図１３で説明したように、この場合、視聴状態は未視聴状態４であると判断される。
【００７０】
図１６は、本実施形態に係る番組視聴開始時のＰＰＶ制御部の処理の一例を示すフローチャートである。
本フローチャートに示す処理は、購入済みのＰＰＶ番組の視聴が開始された際に開始される。
【００７１】
（ステップＳ１００）視聴状態判断部１１２１は、ＰＰＶ番組の番組開始時刻において当該ＰＰＶ番組が視聴されているか否か判定する。そのために、視聴状態判断部１１２１は、当該ＰＰＶ番組のチャンネルが選局されているか否かを判定する。視聴状態判断部１１２１は、ＰＰＶ番組の番組開始時刻において当該ＰＰＶ番組が視聴されていると判定した場合（ＹＥＳ）、ステップＳ１０１に処理を進める。一方、ＰＰＶ番組の番組開始時刻において当該ＰＰＶ番組のチャンネルが選局されていないと判定した場合（ＮＯ）、視聴状態判断部１１２１は、ステップＳ１０２に処理を進める。
【００７２】
（ステップＳ１０１）視聴状態判断部１１２１は、視聴状態を、「未視聴」から「先頭から視聴」の状態へと遷移させる。その後、視聴状態判断部１１２１は、ステップＳ１０２に処理を進める。
【００７３】
（ステップＳ１０２）視聴状態判断部１１２１は、当該ＰＰＶ番組が一定時間連続で視聴されたか否かを判定する。ここで、一定時間とは、当該ＰＰＶ番組の全放送時間の、例えば５０パーセントに相当する時間である。視聴状態判断部１１２１は、当該ＰＰＶ番組が一定時間連続で視聴されたと判定した場合（ＹＥＳ）、ステップＳ１０３に処理を進める。一方、当該ＰＰＶ番組が一定時間連続で視聴されなかったと判定した場合（ＮＯ）、視聴状態判断部１１２１は、ステップＳ１０４に処理を進める。
【００７４】
（ステップＳ１０３）視聴状態判断部１１２１は、視聴状態を、「先頭から視聴」の状態から「視聴済」へと遷移させ、ステップＳ１０３の処理を終了する。
【００７５】
（ステップＳ１０４）視聴状態判断部１１２１は、視聴状態を、「先頭から視聴」の状態から「未視聴」へと遷移させ、ステップＳ１０４の処理を終了する。
【００７６】
図１７は、本実施形態に係る番組終了時のＰＰＶ制御部の処理の一例を示すフローチャートである。
本フローチャートに示す処理は、購入済みのＰＰＶ番組の放送が終了した際に開始される。
【００７７】
(ステップＳ２００)視聴状態判断部１１２１は、視聴状態が「視聴済」である場合（ＮＯ）、ステップＳ２０１に処理を進める。一方、視聴状態が「視聴済」でない場合（ＹＥＳ）、ＰＰＶ制御部１１２は、ステップＳ２００の処理を終了する。
【００７８】
(ステップＳ２０１)視聴状態判断部１１２１は、利用者が当該ＰＰＶ番組を視聴中（当該ＰＰＶ番組のチャンネルに選局されている）である場合（ＹＥＳ）、ステップＳ２０２に処理を進める。一方、利用者が当該ＰＰＶ番組を視聴中でない場合（ＮＯ）、視聴状態判断部１１２１は、ステップＳ２０３に処理を進める。
【００７９】
(ステップＳ２０２)ＰＰＶ制御部１１２は、再放送通知画面ｉ２を表示させ、ステップＳ２０４に処理を進める。
【００８０】
(ステップＳ２０３)ＰＰＶ制御部１１２は、再放送のお知らせをチャンネルコール等に追加し、ステップＳ２０３の処理を終了する。
【００８１】
(ステップＳ２０４)ＰＰＶ制御部１１２は、再放送通知画面ｉ２において、再放送の通知をキャンセルするボタンが選択されたか否か判定する。すなわち、ＰＰＶ制御部１１２は、外部Ｉ／Ｆ制御部１１３から再放送の通知をしないことを示す操作情報が取得されたか否か判定する。ＰＰＶ制御部１１２は、外部Ｉ／Ｆ制御部１１３から再放送の通知をしないことを示す操作情報が取得されなかった場合（ＮＯ）、ステップＳ２０５に処理を進める。一方、ＰＰＶ制御部１１２は、外部Ｉ／Ｆ制御部１１３から再放送の通知をしないことを示す操作情報が取得された場合（ＹＥＳ）、ステップＳ２０６に処理を進める。
【００８２】
(ステップＳ２０５)ＰＰＶ制御部１１２は、再放送通知画面ｉ２において、予約画面へ遷移するボタンが選択されたか否か判定する。すなわち、ＰＰＶ制御部１１２は、外部Ｉ／Ｆ制御部１１３から予約画面へ遷移することを示す操作情報が取得されたか否か判定する。ＰＰＶ制御部１１２は、外部Ｉ／Ｆ制御部１１３から予約画面へ遷移することを示す操作情報が取得された場合（ＹＥＳ）、ステップＳ２０７に処理を進める。一方、外部Ｉ／Ｆ制御部１１３から予約画面へ遷移することを示す操作情報が取得されなかった場合（ＮＯ）、ステップＳ２０５の処理を終了する。
【００８３】
(ステップＳ２０６)視聴状態判断部１１２１は、視聴状態を「視聴済」へと遷移させ、ステップＳ２０６の処理を終了する。
【００８４】
(ステップＳ２０７)出力制御部１０５は、画面を予約画面に遷移させ、ステップＳ２０７の処理を終了する。
【００８５】
以上に説明したように、本実施形態に係る受信装置１０は、表示制御部（この一例において出力制御部１０５）と、再放送情報制御部（この一例において、ＰＰＶ制御部１１２）とを備える。
出力制御部１０５は、事前にＰＰＶ番組を購入した場合に放送された当該ＰＰＶ番組を表示させる。
ＰＰＶ制御部１１２は、購入されたＰＰＶ番組が視聴された期間の長さに応じて、当該ＰＰＶ番組の再放送の情報を表示するか否か制御する。ＰＰＶ制御部１１２は、当該ＰＰＶ番組が先頭から視聴されたか否かに応じて、当該ＰＰＶ番組の再放送の情報を表示するか否か制御する。ＰＰＶ制御部１１２は、当該ＰＰＶ番組が最後まで視聴されたか否かに応じて、当該ＰＰＶ番組の再放送の情報を表示するか否か制御する。ＰＰＶ制御部１１２は、当該ＰＰＶ番組の再放送の案内を表示する設定がなされているか否かに応じて、当該ＰＰＶ番組の再放送の情報を表示するか否か制御する。また、ＰＰＶ制御部１１２は、視聴及び録画された期間の長さに応じて、当該コンテンツの再放送の情報を表示するか否か制御する。
これにより、受信装置１０は、ＰＰＶ番組の視聴状況および、自装置に対する操作によって、再放送の案内を表示する否か、どのように表示するかを変えることができる。
【００８６】
（第２の実施形態）
以下、図面を参照しながら本発明の第２の実施形態について詳しく説明する。
上記第１の実施形態では、受信装置１０が、購入されたＰＰＶ番組について、先頭からの連続視聴時間が一定の時間を超えた場合に視聴済みと判断する場合について説明をした。本実施形態では、受信装置１０が、ＰＰＶ番組の再放送を含めた累計視聴時間の合計で、ＰＰＶ番組の視聴状態を管理する場合について説明をする。
【００８７】
受信装置１０の構成は、第１の実施形態に係る受信装置１０と同様である。ただし、視聴状態判断部１１２１が視聴状態を「視聴済」に遷移させる処理の条件が異なる。受信装置１０は、複数回の放送での視聴時間を計測し、その合計時間が一定の時間を超えた時に視聴済と判断する。第１の実施形態と同じ処理の説明は省略する。
【００８８】
図１８は、本実施形態に係る視聴済みの視聴状態を説明する図である。
図１８に示す例では、ＰＰＶ番組の予約が解除され、途中から視聴が始まるまでは、図７で示した例と同様である。この例では、視聴状態判断部１１２１は、当該ＰＰＶ番組と再放送の累計視聴時間の合計が一定の時間を超えた時に視聴済と判断する。ここで、一定の時間とは、例えば、当該ＰＰＶ番組の全放送時間の５０パーセントである。
この例では、当該ＰＰＶ番組の開始からの視聴時間が一定の時間を超えるまでに、別のチャンネルが選局される。ＰＰＶ制御部１１２は、図９、図１２、図１３で説明した視聴状態が「未視聴」の場合と同様の処理を行う。つまり、ＰＰＶ制御部１１２は、当該ＰＰＶ番組の終了時に、再放送のお知らせをチャンネルコール等に追加する。
その後、当該ＰＰＶ番組の再放送が視聴された場合、視聴状態判断部１１２１は、当該ＰＰＶ番組と再放送の累計視聴時間の合計が一定の時間を超えた時に視聴済と判断する。つまり、視聴状態判断部１１２１は、視聴状態を「未視聴」から「視聴済」へと遷移させる。
【００８９】
ただし、１回目の放送において、当該ＰＰＶ番組の開始からの視聴時間が一定の時間を超えた場合は、視聴状態判断部１１２１は、視聴状態を「未視聴」から、「視聴済」へと遷移させる。その場合、第１の実施形態のときと同様、ＰＰＶ制御部１１２は、以降は何も表示させない。
【００９０】
以上に説明したように、本実施形態に係る受信装置１０は、表示制御部（この一例において出力制御部１０５）と、再放送情報制御部（この一例において、ＰＰＶ制御部１１２）とを備える。ＰＰＶ制御部１１２は、購入されたＰＰＶ番組と当該ＰＰＶ番組の再放送の累計視聴時間が一定の時間以上であるか否かに応じて、当該ＰＰＶ番組の再放送の情報を表示するか否か制御する。
これにより、受信装置１０は、ＰＰＶ番組の視聴状況および、自装置に対する操作によって、再放送の案内を表示する否か、どのように表示するかを変えることができる。
【００９１】
（第３の実施形態）
以下、図面を参照しながら本発明の第３の実施形態について詳しく説明する。
上記第１の実施形態では、受信装置１０が、購入されたＰＰＶ番組について、先頭からの連続視聴時間が一定の時間を超えた場合に、視聴状態を「視聴済」と判断する場合について説明をした。本実施形態では、受信装置１０が視聴状態を「視聴済」と判断する前に、ダイアログを表示しユーザに確認を行う場合について説明する。
【００９２】
受信装置１０の構成は、第１の実施形態に係る受信装置１０と同様である。ただし、視聴状態判断部１１２１が視聴状態を「視聴済」に遷移させる処理の条件が異なる。受信装置１０は、購入されたＰＰＶ番組について、視聴状態を「視聴済」と判断する前に、ダイアログを表示しユーザに確認を行う。第１の実施形態と同じ処理の説明は省略する。
【００９３】
図１９は、本実施形態に係る視聴済みの視聴状態へ遷移する前の確認の画面の一例を示す図である。
ＰＰＶ制御部１１２は、購入されたＰＰＶ番組が先頭から視聴され一定の時間視聴後に途中で視聴が中止された場合（第１の実施例において、視聴状態判断部１１２１が視聴状態を視聴済みと判断する場合）、表示部１０６にダイアログｉ４を表示する。ダイアログｉ４は、当該ＰＰＶ番組を視聴済みにしてよいかをユーザに確認するための画面である。ダイアログｉ４は、当該ＰＰＶ番組が視聴途中であることを示すメッセージと、当該ＰＰＶ番組について視聴状態を視聴済みにするボタン（図１９では「する」と表示）と、当該ＰＰＶ番組について視聴状態を視聴済みと判断しないボタン（図１９では「しない」と表示）を表示する。
ＰＰＶ制御部１１２の具体的な処理内容は以下で説明する。
【００９４】
図２０は、本実施形態に係るＰＰＶ制御部の処理の一例を示すフローチャートである。
本フローチャートに示す処理は、一部を除き図１６に示したフローチャートの処理と同じであるため、異なる部分を除き説明を省略する。
【００９５】
本フローチャートに示す処理は、ステップＳ３０２までは、図１６のステップＳ１０２と同様である。ただし、ステップＳ３０２において、視聴状態判断部１１２１は、当該ＰＰＶ番組が一定時間連続で視聴されたと判定した場合（ＹＥＳ）、ステップＳ３０３に処理を進める点が異なる。
【００９６】
（ステップＳ３０３）ＰＰＶ制御部１１２は、表示部１０６に、当該ＰＰＶ番組を視聴済みにしてよいかをユーザに確認するダイアログｉ４を表示する。ＰＰＶ制御部１１２は、外部Ｉ／Ｆ制御部１１３から、当該ＰＰＶ番組について視聴状態を視聴済みにすることを示す操作情報が取得されたか否かを判定する。ＰＰＶ制御部１１２は、外部Ｉ／Ｆ制御部１１３から当該ＰＰＶ番組について視聴状態を視聴済みにすることを示す操作情報が取得された場合（ＹＥＳ）、ステップＳ３０５に処理を進める。一方、外部Ｉ／Ｆ制御部１１３から当該ＰＰＶ番組について視聴状態を視聴済みにすることを示す操作情報が取得されなかった場合（ＮＯ）、ＰＰＶ制御部１１２は、ステップＳ３０４に処理を進める。
【００９７】
ステップＳ３０４以下の処理は、図１６に示したフローチャートの処理と同様である。
なお、本実施形態に係る、ＰＰＶ制御部１１２の処理を、第２の実施形態と組み合わせて用いてもよい。つまり、ＰＰＶ制御部１１２は、ＰＰＶ番組の再放送を含めた累計視聴時間の合計が一定の時間を超えた場合に、ＰＰＶ番組について視聴状態を「視聴済」へと遷移させる前に、表示部１０６にダイアログｉ４を表示し、ユーザに確認を行ってもよい。
【００９８】
以上に説明したように、本実施形態に係る受信装置１０は、表示制御部（この一例において出力制御部１０５）と、再放送情報制御部（この一例において、ＰＰＶ制御部１１２）とを備える。ＰＰＶ制御部１１２は、購入されたＰＰＶ番組について、視聴状態を視聴済みと判断する前に、表示部１０６にダイアログｉ４を表示しユーザに確認を行い、当該ＰＰＶ番組の再放送の情報を表示するか否か制御する。
これにより、受信装置１０は、ＰＰＶ番組の視聴状況および、自装置に対する操作によって、再放送の案内を表示する否か、どのように表示するかを変えることができる。
【００９９】
（第４の実施形態）
以下、本発明の第４の実施形態について詳しく説明する。
第１から第３の実施形態においては、受信装置１０が、購入済みのＰＰＶ番組の視聴状態の「視聴済」の状態への遷移を、当該ＰＰＶ番組のチャンネルが選局されているか否かによって判定する場合について説明した。本実施形態に係る受信装置１０は、人感センサーを用いて、ユーザが実際に購入済みのＰＰＶ番組を視聴しているか否かを判定する場合について説明する。
【０１００】
受信装置１０の構成は、第１の実施形態に係る受信装置１０と同様である。ただし、受信装置１０は、自身に人感センサー（図示せず）を備える点が異なる。第１の実施形態と同じ処理の説明は省略する。
【０１０１】
視聴状態判断部１１２１は、購入済みのＰＰＶ番組について視聴状態を判定する際、当該ＰＰＶ番組のチャンネルが選局されており、かつ実際にユーザに視聴されていたか否かを判定する。ここで、視聴状態判断部１１２１は、当該ＰＰＶ番組が実際にユーザに視聴されているか否かを、受信装置１０に備えられた人感センサーの情報を用いて判定する。
【０１０２】
受信装置１０に備えられた人感センサーは、受信装置１０の周囲に所在するユーザを検出するセンサーである。人感センサーの検出範囲は、表示部１０６に表示された画像を視認可能な範囲、例えば、表示部１０６から５ｍ以内であって、正面の法線方向から３０°である。人感センサーは、ユーザを検出したこと（検出）またはユーザを検出していないこと（非検出）を示す検出信号を、外部Ｉ／Ｆ制御部１１３を通じて視聴状態判断部１１２１に出力する。
【０１０３】
視聴状態判断部１１２１は、当該ＰＰＶ番組の放送時間において、検出を示す検出信号を取得した場合、当該ＰＰＶ番組に対応するチャンネルが選局されている場合、当該ＰＰＶ番組が視聴されていると判定する。視聴状態判断部１１２１は、当該ＰＰＶ番組の放送時間において、非検出を示す検出信号を取得した場合、当該ＰＰＶ番組が視聴されていないと判定する。
本実施形態においては、視聴状態判断部１１２１が、当該ＰＰＶ番組が視聴されているか否かの判定基準が、上記のように異なること以外は、受信装置１０の処理内容は、第１から第３の実施形態と同様である。
【０１０４】
なお、本実施例では、ＰＰＶ番組が実際にユーザに視聴されているか否かを判定する際に、人感センサーを用いる例を説明したが、人感センサーの代わりに、カメラ、もしくはモーションセンサーなどを用いてもよい。
【０１０５】
以上に説明したように、本実施形態に係る受信装置１０は、表示制御部（この一例において出力制御部１０５）と、再放送情報制御部（この一例において、ＰＰＶ制御部１１２）と、人感センサーとを備える。ＰＰＶ制御部１１２は、購入されたＰＰＶ番組について、人感センサーを用いて、ユーザが実際に購入済みのＰＰＶ番組を視聴しているか否かを判定し、当該ＰＰＶ番組の再放送の情報を表示するか否か制御する。
これにより、受信装置１０は、ＰＰＶ番組の視聴状況および、自装置に対する操作によって、再放送の案内を表示する否か、どのように表示するかを変えることができる。
【０１０６】
なお、上述した実施形態における受信装置１０の一部、例えば、復調部１０２、デスクランブル部１０３、デコード部１０４、出力制御部１０５、メモリ１０９、システム制御部１１０、予約管理部１１１、ＰＰＶ制御部１１２をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、受信装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における受信装置１０の一部、または全部を、ＬＳＩ（Ｌａｒｇｅ  Ｓｃａｌｅ  Ｉｎｔｅｇｒａｔｉｏｎ）等の集積回路として実現しても良い。受信装置１０の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１０７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１０８】
１…デジタル放送システム、１０…受信装置、２０…放送装置、３０…放送衛星、ｐ１…番組データ、１０１…受信部、１０２…復調部、１０３…デスクランブル部、１０４…デコード部、１０５…出力制御部、１０６…表示部、１０７…スピーカー、１０８…通信Ｉ／Ｆ、１０９…メモリ、１１０…システム制御部、１１１…予約管理部、１１２…ＰＰＶ制御部、１１２１…視聴状態判断部、１１３…外部Ｉ／Ｆ制御部、１０００…公衆回線、ｉ２…再放送通知画面、ｉ３…再放送のお知らせ、Ｄ１…表示パネル、Ｃ１…チャンネルコール
【図１】
2017184208.tif 000003
【図２】
2017184208.tif 000004
【図３】
2017184208.tif 000005
【図４】
2017184208.tif 000006
【図５】
2017184208.tif 000007
【図６】
2017184208.tif 000008
【図７】
2017184208.tif 000009
【図８】
2017184208.tif 000010
【図９】
2017184208.tif 000011
【図１０】
2017184208.tif 000012
【図１１】
2017184208.tif 000013
【図１２】
2017184208.tif 000014
【図１３】
2017184208.tif 000015
【図１４】
2017184208.tif 000016
【図１５】
2017184208.tif 000017
【図１６】
2017184208.tif 000018
【図１７】
2017184208.tif 000019
【図１８】
2017184208.tif 000020
【図１９】
2017184208.tif 000021
【図２０】
2017184208.tif 000022